(57)【要約】もろい材料で作られた中空壁面（Ｗ）に取り付けるためのアンカー（９１０）が、アンカーを長手軸（Ａ）の周囲で回転するために、かつアンカー（９１０）を壁面（Ｗ）に徐々に係合するために、回転式工具（Ｂ）により係合されるようになっている近位端部（９１８）を備えている。アンカー（９１０）は、アンカー（９１０）が回転する場合壁面に切り込むようになっている遠位端部（９１２）と、近位端部（９１８）及び遠位端部（９１２）との間のシャンク（９２０）とを含んでいる。シャンク（９２０）が少なくとも一つの延伸可能なレグ（９２４）を含んでいて、レグは、アンカー（９１０）を壁面（Ｗ）に取り付けるためにアンカー（９１０）が回転される場合収縮位置にあって、レグは、アンカー（９１０）が壁面に取り付けられると壁面（Ｗ）の裏面から遠位に位置している。アンカー（９１０）が壁面（Ｗ）にしっかりと係合するおねじ（９２２）を含んでおり、アンカーは内部にねじ山付き留め具（Ｂ）、例えばねじがアンカー（９１０）に導入されていて、従ってレグ（９２４）の遠位において螺合的に係合するようになっていて、ねじ山付き金具（Ｂ）の十分な回転は遠位端部（９１２）を近位端部（９１８）へ向けて引き込み、従ってレグ（９２４）が横方向の延伸位置に移動することができ、壁面（Ｗ）の見えない表面に係合するようになっている。
2006509969.tif 000002
【特許請求の範囲】
【請求項１】
中空壁面に取り付けるためのアンカーであって；該アンカーを長手軸の周囲で回転するために、かつ該アンカーを壁面に徐々に係合するために、回転式工具により係合されるようになっている近位端部と、該アンカーが回転する場合該壁面に切り込むようになっている遠位端部と、該近位端部及び該遠位端部との間のシャンクとを具備するアンカーにおいて：
該シャンクが少なくとも一つの延伸可能なレグを含んでいて、延伸可能な該レグは、該アンカーを該壁面に取り付けるために該アンカーが回転される場合収縮位置にあって、該レグは、該アンカーが該壁面に取り付けられると該壁面の裏面から遠位に位置していて、該アンカーがおねじを含んでおり、該アンカーは内部にねじ山付き留め具を受容し、かつ該レグの遠位において該ねじ山付き金具に螺合的に係合するようになっていて、該ねじ山付き金具の十分な回転は該遠位端部を該近位端部へ向けて引き込み、従って該レグが横方向の延伸位置に移動することができるようになっている；
アンカー。
【請求項２】
該アンカーが単一成形構造体で作られている、請求項１に記載のアンカー。
【請求項３】
該シャンクが、該ねじ山付き留め具によりねじ切りされるようになっている管状区画を該レグの遠位に備えている、請求項１に記載のアンカー。
【請求項４】
該シャンクが、該ねじ山付き留め具により螺合的に係合されるようになっている第一めねじを形成している管状区画を該レグの遠位に備えている、請求項１に記載のアンカー。
【請求項５】
該遠位端部が、該ねじ山付き留め具により螺合的に係合されるようになっている第二めねじを形成している、請求項４に記載のアンカー。
【請求項６】
該第一めねじ及び該第二めねじがほぼ連続していて、かつ同一ピッチである、請求項５に記載のアンカー。
【請求項７】
該遠位端部が開口部を形成していて、該ねじ山付き留め具が該開口部を通過できるようになっている、請求項５に記載のアンカー。
【請求項８】
該おねじが第一おねじを含んでいて、該第一おねじは該近位端部と該レグとの間で該シャンクに備えられていて、該アンカーが該第一位置にある場合、該第一おねじは該壁面に係合する、請求項１に記載のアンカー。
【請求項９】
該おねじが、該レグと該遠位端部との間に備えられた第二おねじを含んでいる、請求項８に記載のアンカー。
【請求項１０】
該シャンクが、該ねじ山付き留め具により螺合的に係合されるようになっている管状区画を該レグの遠位に備えていて、該第二おねじが該管状区画の周囲に備えられている、請求項９に記載のアンカー。
【請求項１１】
該おねじが該レグ周囲に備えられた第三おねじを含んでいて、該第一、第二及び第三おねじが同一ピッチである、請求項８に記載のアンカー。
【請求項１２】
該延伸位置において異なる方向に延伸するようになっている少なくとも二つの該レグが備えられていて、該第三おねじが該収縮位置においてすべての該レグを延伸する、請求項９に記載のアンカー。
【請求項１３】
該近位端部が、回転式工具を係合的に受容するための凹部を形成するフランジ付きヘッドを備えている、請求項１に記載のアンカー。
【請求項１４】
少なくとも二つの該レグが備えられていて、該レグは該収縮位置においてほぼ平行に延伸している、請求項１に記載のアンカー。
【請求項１５】
該レグが該収縮位置においてもろい要素により接続されていて、従って該レグが該延伸位置に広がるようになっており、該もろい要素は該ねじ山付き留め具が該遠位端部を該近位端部に向けて引き込む場合に破断するようになっている、請求項１４に記載のアンカー。
【請求項１６】
該おねじが第三おねじを含んでいて、該第三おねじは該レグの周囲に備えられ、かつ該延伸位置において該壁面の裏面の中へ少なくとも部分的に延伸するようになっている、請求項１４に記載のアンカー。
【請求項１７】
該おねじが第三おねじを含んでいて、該第三おねじは該レグの周囲に備えられ、かつ少なくとも該もろい要素において遮断されている、請求項１５に記載のアンカー。
【請求項１８】
該レグ各々が遠位区画及び近位区画を備えていて、該遠位区画及び該近位区画は該収縮位置から該延伸位置へ通過する際に外側向きに折り曲がるようになっている、請求項１４に記載のアンカー。
【請求項１９】
該近位区画及び該遠位区画がピボットにより接続されている、請求項１８に記載のアンカー。
【請求項２０】
該延伸位置において、該近位区画は少なくとも該壁面の裏面に沿って外側に向けて部分的に延伸し、一方該遠位区画は該近位区画から該遠位端部へ向かって内側に延伸するように、該遠位区画が少なくとも該収縮位置において該近位区画より長くなっている、請求項１９に記載のアンカー。
【請求項２１】
該延伸位置において、該近位区画及び該遠位区画がほぼ近接した相対関係で外向きに延伸するように、該遠位区画及び該近位区画は、少なくとも該収縮位置においてほぼ同一長さである、請求項１９に記載のアンカー。
【請求項２２】
四本の該レグが備えられていて、それらのレグは同一であって、ほぼ十字形パターンに広がるように配置されている、請求項１４−２１のいずれか一項に記載のアンカー。
【請求項２３】
該シャンクが少なくとも一つのストッパを含んでいて、該レグの該延伸位置において、該ストッパは該壁面の該裏面又は該レグの近位に配置された該シャンクの近位区画に係合するようになっていて、該遠位端部が該近位端部に向かって移動することを制限し、従って該レグが該延伸位置において広がることを制限しており、該収縮位置において、該ストッパは該シャンクの該近位区画に対して遠位に該シャンクに備えられている、請求項１に記載のアンカー。
【請求項２４】
該シャンクが該レグと該遠位端部との間に位置する遠位区画を含んでいて、該ストッパが管状要素を含んでおり、該管状要素は該シャンクの該遠位区画から該近位区画へ向かって延伸し、従って該収縮位置において離間していて、該管状要素は該レグが該延伸位置に広がる間に該近位区画へ向かって移動するようになっている、請求項２３に記載のアンカー。
【請求項２５】
該管状要素が該ねじ山付き留め具によりねじ切りされるようになっている、請求項２４に記載のアンカー。
【請求項２６】
該シャンクが該レグと該遠位端部との間に位置する遠位区画を含んでいて、該ストッパが少なくとも一つのタブを含んでおり、該少なくとも一つのタブは該シャンクの該遠位区画から該近位区画へ向かって延伸し、従って該収縮位置において離間していて、該少なくとも一つのタブは該レグが該延伸位置に広がる間に該近位区画へ向かって移動するようになっている、請求項２３に記載のアンカー。
【請求項２７】
延伸可能な該レグが、該延伸位置において該壁面の背後でバンドルを形成している、請求項１に記載のアンカー。
【請求項２８】
一つ以上の該レグが備えられていて、該レグはお互いに並行してねじれた形状に延伸し、そして共にチューブを形成しており、もろい部分が該チューブ上と該レグ間とに形成されていて、該もろい部分は、該ねじ山付き留め具が該遠位端部を該近位端部に向けて引き込む場合破断するようになっており、従って該レグが該バンドルの中へ向かって広がるようになっている、請求項２７に記載のアンカー。
【請求項２９】
該シャンクが少なくとも一つのストッパを含んでいて、該ストッパは該遠位端部が該近位端部に向かって移動することを制限し、従って該レグが該延伸位置において広がることを制限するようになっている、請求項１に記載のアンカー。
【請求項３０】
該延伸位置において、該ストッパは延伸可能な該レグにほぼ平行に延伸していて、該ストッパは、該遠位端部が該近位端部に向かって該遠位端部が該近位端部に向かってさらに移動できなくなる限界まで移動する場合曲がるようになっており、そして延伸可能な該レグは該延伸位置に位置する、請求項２９に記載のアンカー。
【請求項３１】
延伸可能な該レグは、該収縮位置においてばね付勢されていて、協働手段が延伸可能な該レグと該シャンクとに備えられ、延伸可能な該レグを該収縮位置に保持するようになっており、該協働手段は、該ねじ山付き留め具が延伸可能な該レグを該近位端部から軸方向に引き離す場合係合解除されるようになっていて、従って延伸可能な該レグがばね付勢により該延伸位置に広がるようになっている、請求項１に記載のアンカー。
【請求項３２】
ねじ山付き留め具とアンカーとを備えている、中空壁面に取り付けるためのアンカーアセンブリであって；
該アンカーが、該アンカーを長手軸の周囲で回転するために、かつ該アンカーを壁面に徐々に係合するために、回転式工具により係合されるようになっている近位端部と、該アンカーが回転する場合該壁面に切り込むようになっている遠位端部と、該近位端部及び該遠位端部との間のシャンクとを具備していて；
該シャンクが少なくとも一つの延伸可能なレグを含んでいて、該レグは、該アンカーを該壁面に取り付けるために該アンカーが回転される場合収縮位置にあって、該レグは、該アンカーが該壁面に取り付けられると該壁面の裏面から遠位に位置していて、該アンカーがおねじを含んでおり、該アンカーは内部にねじ山付き留め具を受容し、かつ該レグの遠位において該ねじ山付き金具に螺合的に係合するようになっていて、該ねじ山付き金具の十分な回転は該遠位端部を該近位端部へ向けて引き込み、従って該レグが横方向の延伸位置に移動することができるようになっている；
アンカーアセンブリ。
【請求項３３】
該アンカーが単一成形構造体で作られている、請求項３２に記載のアンカーアセンブリ。
【請求項３４】
該シャンクが、該ねじ山付き留め具によりねじ切りされるようになっている管状区画を該レグの遠位に備えている、請求項３２に記載のアンカーアセンブリ。
【請求項３５】
該シャンクが、該ねじ山付き留め具により螺合的に係合されるようになっている第一めねじを形成している管状区画を該レグの遠位に備えている、請求項３２に記載のアンカーアセンブリ。
【請求項３６】
該遠位端部が、該ねじ山付き留め具により螺合的に係合されるようになっている第二めねじを形成している、請求項３５に記載のアンカーアセンブリ。
【請求項３７】
該第一めねじ及び該第二めねじがほぼ連続していて、かつ同一ピッチである、請求項３６に記載のアンカーアセンブリ。
【請求項３８】
該遠位端部が開口部を形成していて、該ねじ山付き留め具が該開口部を通過できるようになっている、請求項３６に記載のアンカーアセンブリ。
【請求項３９】
該おねじが第一おねじを含んでいて、該第一おねじは該近位端部と該レグとの間で該シャンクに備えられていて、該アンカーが該第一位置にある場合、該第一おねじは該壁面に係合する、請求項３２に記載のアンカーアセンブリ。
【請求項４０】
該おねじが、該レグと該遠位端部との間に備えられた第二おねじを含んでいる、請求項３９に記載のアンカーアセンブリ。
【請求項４１】
該シャンクが、該ねじ山付き留め具により螺合的に係合されるようになっている管状区画を該レグの遠位に備えていて、該第二おねじが該管状区画の周囲に備えられている、請求項４０に記載のアンカーアセンブリ。
【請求項４２】
該おねじが該レグ周囲に備えられた第三おねじを含んでいて、該第一、第二及び第三おねじが同一ピッチである、請求項３９に記載のアンカーアセンブリ。
【請求項４３】
該延伸位置において異なる方向に延伸するようになっている少なくとも二つの該レグが備えられていて、該第三おねじが該収縮位置においてすべての該レグを延伸する、請求項４０に記載のアンカーアセンブリ。
【請求項４４】
該近位端部が、回転式工具を係合的に受容するための凹部を形成するフランジ付きヘッドを備えている、請求項３２に記載のアンカーアセンブリ。
【請求項４５】
少なくとも二つの該レグが備えられていて、該レグは該収縮位置においてほぼ平行に延伸している、請求項３２に記載のアンカーアセンブリ。
【請求項４６】
該レグが該収縮位置においてもろい要素により接続されていて、従って該レグが該延伸位置に広がるようになっており、該もろい要素は該ねじ山付き留め具が該遠位端部を該近位端部に向けて引き込む場合に破断するようになっている、請求項４５に記載のアンカーアセンブリ。
【請求項４７】
該おねじが第三おねじを含んでいて、該第三おねじは該レグの周囲に備えられ、かつ該延伸位置において該壁面の裏面の中へ少なくとも部分的に延伸するようになっている、請求項４５に記載のアンカーアセンブリ。
【請求項４８】
該おねじが第三おねじを含んでいて、該第三おねじは該レグの周囲に備えられ、かつ少なくとも該もろい要素において遮断されている、請求項４６に記載のアンカーアセンブリ。
【請求項４９】
該レグ各々が遠位区画及び近位区画を備えていて、該遠位区画及び該近位区画は該収縮位置から該延伸位置へ通過する際に外側向きに折り曲がるようになっている、請求項４５に記載のアンカーアセンブリ。
【請求項５０】
該近位区画及び該遠位区画がピボットにより接続されている、請求項４９に記載のアンカーアセンブリ。
【請求項５１】
該延伸位置において、該近位区画は少なくとも該壁面の裏面に沿って外側に向けて延伸し、一方該遠位端部は該近位区画から該遠位区画へ向かって内側に延伸するように、該遠位区画が少なくとも該収縮位置において該近位区画より長くなっている、請求項５０に記載のアンカーアセンブリ。
【請求項５２】
該延伸位置において、該近位区画及び該遠位区画がほぼ近接した相対関係で外向きに延伸するように、該遠位区画及び該近位端区画は、少なくとも該収縮位置においてほぼ同一長さである、請求項５０に記載のアンカーアセンブリ。
【請求項５３】
四本の該レグが備えられていて、それらのレグは同一であって、ほぼ十字形パターンに広がるように配置されている、請求項４５−５０のいずれか一項に記載のアンカーアセンブリ。
【請求項５４】
該シャンクが少なくとも一つのストッパを含んでいて、該レグの該延伸位置において、該ストッパは該壁面の該裏面又は該レグの近位に配置された該シャンクの近位区画に係合するようになっていて、該遠位端部が該近位端部に向かって移動することを制限し、従って該レグが該延伸位置において広がることを制限しており、該収縮位置において、該ストッパは該シャンクの該近位区画に対して遠位に該シャンクに備えられている、請求項３２に記載のアンカーアセンブリ。
【請求項５５】
該シャンクが該レグと該遠位端部との間に位置する遠位区画を含んでいて、該ストッパが管状要素を含んでおり、該管状要素は該シャンクの該遠位区画から該近位区画へ向かって延伸し、従って該収縮位置において離間していて、該管状要素は該レグが該延伸位置に広がる間に該近位区画へ向かって移動するようになっている、請求項５４に記載のアンカーアセンブリ。
【請求項５６】
該管状要素が該ねじ山付き留め具によりねじ切りされるようになっている、請求項５５に記載のアンカーアセンブリ。
【請求項５７】
該シャンクが該レグと該遠位端部との間に位置する遠位区画を含んでいて、該ストッパが少なくとも一つのタブを含んでおり、該少なくとも一つのタブは該シャンクの該遠位区画から該近位区画へ向かって延伸し、従って該収縮位置において離間していて、該少なくとも一つのタブは該レグが該延伸位置に広がる間に該近位区画へ向かって移動するようになっている、請求項５４に記載のアンカーアセンブリ。
【請求項５８】
延伸可能な該レグが、該延伸位置において該壁面の背後でバンドルを形成している、請求項３２に記載のアンカーアセンブリ。
【請求項５９】
一つ以上の該レグが備えられていて、該レグはお互いに並行してねじれた形状に延伸し、そして共にチューブを形成しており、もろい部分が該チューブ上と該レグ間とに形成されていて、該もろい部分は、該ねじ山付き留め具が該遠位端部を該近位端部に向けて引き込む場合破断するようになっており、従って該レグが該バンドルの中へ向かって広がるようになっている、請求項５８に記載のアンカーアセンブリ。
【請求項６０】
該シャンクが少なくとも一つのストッパを含んでいて、該ストッパは該遠位端部が該近位端部に向かって移動することを制限し、従って該レグが該延伸位置において広がることを制限するようになっている、請求項３２に記載のアンカーアセンブリ。
【請求項６１】
該延伸位置において、該ストッパは延伸可能な該レグにほぼ平行に延伸していて、該ストッパは、該遠位端部が該近位端部に向かって該遠位端部が該近位端部に向かってさらに移動できなくなる限界まで移動する場合曲がるようになっており、そして延伸可能な該レグは該延伸位置に位置する、請求項６０に記載のアンカーアセンブリ。
【請求項６２】
延伸可能な該レグは、該収縮位置においてばね付勢されていて、協働手段が延伸可能な該レグと該シャンクとに備えられ、延伸可能な該レグを該収縮位置に保持するようになっており、該協働手段は、該ねじ山付き留め具が延伸可能な該レグを該近位端部から軸方向に引き離す場合係合解除されるようになっていて、従って延伸可能な該レグがばね付勢により該延伸位置に広がるようになっている、請求項３２に記載のアンカーアセンブリ。
【請求項６３】
中空壁面に取り付けるためのアンカーであって；該アンカーを長手軸の周囲で回転するために、かつ該アンカーを壁面に徐々に係合するために、回転式工具により係合されるようになっている近位端部と、遠位端部と、該近位端部及び該遠位端部との間のシャンクとを具備するアンカーにおいて：
該シャンクが少なくとも一つの延伸可能な手段を含んでいて、該延伸可能な手段は、該アンカーを該壁面に取り付けるために該アンカーが回転される場合収縮位置にあって、該アンカーがおねじを含んでおり、該アンカーは内部にねじ山付き留め具を受容し、かつ該延伸可能な手段の遠位において該ねじ山付き金具に螺合的に係合するようになっていて、該ねじ山付き金具の十分な回転は該遠位端部を該近位端部へ向けて引き込み、従って該延伸可能な手段が該壁面の背後で横方向の延伸位置に移動することができるようになっている；
アンカー。
【請求項６４】
アンカーを中空壁面に取り付ける方法が：
ａ）おねじを含んでいて、さらに近位端部、遠位端部、及び該近位端部と該遠位端部との間のシャンクを有している中空のアンカーを準備する段階と；
ｂ）該アンカーを壁面に取り付ける段階と；
ｃ）留め金具を該アンカーの中へ回転駆動する段階であって、該留め金具が該遠位端部に係合し、かつ該留め金具が該アンカーの中で並進的に前進できなくなると該遠位端部を該近位端部へ向けて引き込み、従って該シャンクを該壁面の背後で横方向に延伸するように変形するようになっている、留め金具を該アンカーの中へ回転駆動する段階と；
を含んでいる方法。
【請求項６５】
中空壁面に適合するようになっている中空のアンカーにめねじを形成する方法が：
ａ）おねじを有しているコアーピンを準備する段階と；
ｂ）少なくともコアーピンの一部がプラスチックにより囲まれるようにアンカーを該コアーピンと共に金型において成形する段階と；
ｃ）該コアーピンにより該アンカーに形成されためねじを引きはがすことなく該成形されたアンカーから、該コアーピンをほとんど回転することなく並進的に取り外ずす段階と；
を含んでいる方法。
【請求項６６】
該段階ｂ）において、おねじを有している第二ピンが該金型に備えられていて、該第二ピンは該コアーピンと端と端とをつないで軸方向に整列しており、該コアーピン及び該第二ピンが同一ピッチのほぼ連続的なねじ山を形成していて、従って該第二ピンがない場合と比較してより長いめねじを該アンカーに形成している、請求項６５に記載の方法。
【請求項６７】
該段階ｃ）において、該コアーピンは成形された該アンカーの近位端部を介して成形された該アンカーから並進的に取り外ずされ、そして該第二ピンは成形された該遠位端部から横方向に取り外ずされる、請求項６６に記載の方法。
【請求項６８】
該コアーピン及び該第二ピンは、該段階ｂ）において該コアーピンと該第二ピンとの間の所定相対位置を得るために、従って該連続的なねじ山を保証するために、整合端部を有している、請求項６６に記載の方法。
【発明の詳細な説明】
【技術分野】
【０００１】
本発明は、壁面アンカーに関する。詳しくは、特にもろい材料例えばプラスターボード、石こう等で作られた中空壁面に使用する自己穴あけ式アンカーに関する。
【背景技術】
【０００２】
特許文献１−３各々がアンカーを開示していて、そのアンカーは、もろい材料で作られた壁面にねじ込まれ、そしてアンカーの円筒状ボデーに沿って巻かれた深いねじ山と谷との間、かつねじ山の近位端部と壁面の前面に埋め込まれるアンカーのフランジ付き端部との間に圧縮されているもろい材料により壁面に保持されている。続いて、工作物はねじ留め具により壁面に留められていて、そのねじ留め具はアンカーの見える端面にねじ込まれ、そして工作物をアンカーのフランジ付き端部とねじ留め具のヘッドとの間に保持する。
【０００３】
特許文献４に開示されているトグルボルトは公知なものである。一般に自己穴あけ式トグルアンカーは、ドリル部材及びトグル部材を含んでいる。穴あけ部材が壁面を貫通する穴を加工するようになっていて、トグル部材は引き込み位置において、穴あけ部材に沿って軸方向に延伸しており、従ってアンカー全体が壁面の長手方向に挿入され、トグル部材は完全に壁面背後に位置している。トグル部材がねじ山付き開口部を形成していて、その開口部はトグル部材を横断して延伸し、そしてトグル部材の引き込み位置において、ドリル部材に直交し、かつ壁面に穴あけ加工される際にアンカーの長手方向に直交する軸を有している。第二ステップにおいて、ねじはアンカーに回転的に挿入され、そしてある点において、ねじの先端がトグル部材に係合し、延伸位置に旋回しており、トグル部材はドリル部材とアンカーの公称方向とに直角延伸する。ねじのヘッドは、壁面の前面又はアンカーのヘッドに接触すると、長手方向に移動しなくなっていて、ねじのさらなる回転がトグル部材をしっかりと壁面に接触するまで、ねじのヘッドへ向けて、従って壁面の裏面に向けて並進的に引き込むようになっていて、従ってアンカーが壁面に固定される。代りに、穴あけ用チップがトグル部材に備えられてもよくて、そのような場合、前述のドリル部材はアンカーヘッドに固定的に垂れ下がっていて、穴あけ作用は行なわない状態にある。そのような構造は、アンカーが二つのコンポーネント（例えばドリル部材及びトグル部材）を必要とし、かつ一体に組立てねばならないので、コストのかかるものとなっている。
【０００４】
【特許文献１】米国特許第４６０１６２５号明細書
【特許文献２】米国特許第５２３４２９９号明細書
【特許文献３】米国特許第５５２９４４９号明細書
【特許文献４】米国特許第６４３５７８９号明細書
【発明の開示】
【発明が解決しようとする課題】
【０００５】
本発明の目的は、例えばアンカーに係合された細長い留め具を介して物品を壁面に取り付けることができるように、中空壁面にしっかりと取り付けられるようになっている改善したアンカーを提供することである。
【課題を解決するための手段】
【０００６】
本発明において、中空壁面に取り付けるためのアンカーが提供されていて；該アンカーを長手軸の周囲で回転するために、かつ該アンカーを壁面に徐々に係合するために、回転式工具により係合されるようになっている近位端部と、該アンカーが回転する場合該壁面に切り込むようになっている遠位端部と、該近位端部及び該遠位端部との間のシャンクとを具備するアンカーにおいて：
該シャンクが少なくとも一つの延伸可能なレグを含んでいて、該レグは、該アンカーを該壁面に取り付けるために該アンカーが回転される場合収縮位置にあって、該レグは、該アンカーが該壁面に取り付けられると該壁面の裏面から遠位に位置していて、該アンカーがおねじを含んでおり、該アンカーは内部にねじ山付き留め具を受容し、かつ該レグの遠位において該ねじ山付き金具に螺合的に係合するようになっていて、該ねじ山付き金具の十分な回転は該遠位端部を該近位端部へ向けて引き込み、従って該レグが横方向の延伸位置に移動することができるようになっている。
【０００７】
本発明において、ねじ山付き留め具とアンカーとを備えている、中空壁面に取り付けるためのアンカーアセンブリが提供されていて；
該アンカーが、該アンカーを長手軸の周囲で回転するために、かつ該アンカーを壁面に徐々に係合するために、回転式工具により係合されるようになっている近位端部と、該アンカーが回転する場合該壁面に切り込むようになっている遠位端部と、該近位端部及び該遠位端部との間のシャンクとを具備していて；
該シャンクが少なくとも一つの延伸可能なレグを含んでいて、該レグは、該アンカーを該壁面に取り付けるために該アンカーが回転される場合収縮位置にあって、該レグは、該アンカーが該壁面に取り付けられると該壁面の裏面から遠位に位置していて、該アンカーがおねじを含んでおり、該アンカーは内部にねじ山付き留め具を受容し、かつ該レグの遠位において該ねじ山付き金具に螺合的に係合するようになっていて、該ねじ山付き金具の十分な回転は該遠位端部を該近位端部へ向けて引き込み、従って該レグが横方向の延伸位置に移動することができるようになっている。
【０００８】
本発明において、中空壁面に取り付けるためのアンカーが提供されていて；該アンカーを長手軸の周囲で回転するために、かつ該アンカーを壁面に徐々に係合するために、回転式工具により係合されるようになっている近位端部と、遠位端部と、該近位端部及び該遠位端部との間のシャンクとを具備するアンカーにおいて：
該シャンクが少なくとも一つの延伸可能な手段を含んでいて、該延伸可能な手段は、該アンカーを該壁面に取り付けるために該アンカーが回転される場合収縮位置にあって、該アンカーがおねじを含んでおり、該アンカーは内部にねじ山付き留め具を受容し、かつ該延伸可能な手段の遠位において該ねじ山付き金具に螺合的に係合するようになっていて、該ねじ山付き金具の十分な回転は該遠位端部を該近位端部へ向けて引き込み、従って該延伸可能な手段が該壁面の背後で横方向の延伸位置に移動することができるようになっている。
【０００９】
さらに本発明において、アンカーを中空壁面に取り付ける方法が提供されていて、該方法が：
ａ）おねじを含んでいて、さらに近位端部、遠位端部、及び該近位端部と該遠位端部との間のシャンクを有している中空のアンカーを準備する段階と；
ｂ）該アンカーを壁面に取り付ける段階と；
ｃ）留め金具を該アンカーの中へ回転駆動する段階であって、該留め金具が該遠位端部に係合し、かつ該留め金具が該アンカーの中で並進的に前進できなくなると該遠位端部を該近位端部へ向けて引き込み、従って該シャンクを該壁面の背後で横方向に延伸するように変形するようになっている、留め金具を該アンカーの中へ回転駆動する段階と；を含んでいる。
【００１０】
さらに本発明において中空壁面に適合するようになっている中空のアンカーにめねじを形成する方法が提供されていて、該方法が：
ａ）おねじを有しているコアーピンを準備する段階と；
ｂ）少なくともコアーピンの一部がプラスチックにより囲まれるようにアンカーを該コアーピンと共に金型において成形する段階と；
ｃ）該コアーピンにより該アンカーに形成されためねじを引きはがすことなく該成形されたアンカーから、該コアーピンをほとんど回転することなく並進的に取り外ずす段階と；を含んでいる。
【発明を実施するための最良の形態】
【００１１】
以下に好適な実施形態を図示している図面を参照して本発明を説明する。
本発明に基ずいて、図１は第一位置、すなわち挿入位置における壁面用アンカー１０を図示している。図１は壁面Ｗを貫通して完全に挿入された壁面用アンカー１０を図示していて、ねじＳが壁面用アンカー１０に係合しかつ物品Ｉを壁面Ｗに対して保持している。図２において、壁面用アンカー１０は第二位置、すなわち延伸位置で図示されていて、壁面用アンカー１０はさらに壁面Ｗに締め付けられている。以下に説明する。ここで説明する壁面用アンカーはほぼ全部がプラスチック材料、例えばナイロンで作られている。
【００１２】
壁面用アンカー１０はねじＳを受容するために中空であって、そして周囲に部分的にねじ山１４を備なえかつ開口部１６を形成しているとがった先端１２を備えている。壁面用アンカー１０は近位にヘッド１８を含んでいて、ヘッド１８と先端１２との間にシャンク２０を備えている。シャンク２０の近位部分にはねじ山２２が含まれていて、シャンク２０は、ねじ山１４と２２との間に延伸可能なレグ２４の装置を含んでいる。図１及び２に図示する実施形態において、シャンク２０は、図１における収縮位置においてもろいフィルム２６により一体に接続された四本のレグ２４を含んでいる。そのようなフィルムはなくてもよいけれども、その場合レグ２４はお互いに並んで延伸しているけれど、一体に接続はされていない。
【００１３】
ヘッド１８は、ねじまわしのような手動あるいは電動のトルク駆動式回転工具により係合できるようになっている。例えばヘッド１８はPhilips−タイプのスクリュー・ドライバー・ビットを受容するための十字形溝（図２０における符号８１９及び図２３における符号９１９）を形成していてもよい。このことは、壁面用アンカー１０がねじのように、回転駆動され壁面Ｗを貫通することを可能にしていて、先端１２が壁面Ｗを貫通することを促進しており、続いてねじ山１４及び２２はもろい材料の壁面用Ｗと係合し、そして壁面用アンカー１０がねじ山２２により壁面Ｗに締めつけられるようにタッピングしている。開口部１６は、壁面用アンカー１０により壁面Ｗから除去された砕けた材料の吸引を促進している。壁面用アンカー１０が壁面Ｗに対して図１に図示される位置になると、ねじＳのヘッドと、壁面Ｗの前面あるいは目視可能な表面との間に物品Ｉがあろうとなかろうと、ねじＳは図１に図示する位置になるまで壁面用アンカー１０の中へ回転的に係合する。
【００１４】
ねじＳのヘッドがさらに軸方向に並進できなくなると（図１において、物品Ｉとの接触により、又はヘッド１８若しくは壁面Ｗの目視可能な表面との係合により）、ねじＳのさらなる回転は、ねじＳと、壁面用アンカー１０（通常はねじＳによりねじ切りされた区画２８）との間の係合を考慮すると壁面用アンカー１０の先端１２を壁面Ｗへ向けて引く。（なお区画２８には代りにめねじがねじ切りにより形成されていてもよい）。ヘッド１８へ向けての先端１２の漸次的な引き込みがレグ２４を外向きに広げ、最初に隣接するレグ２４の間のもろいフィルムが破断される。
【００１５】
各レグ２４はより短かい近位部分３０と、ピボット３３に接続したより長い遠位部分３２とを有している。図２に図示するように、レグ２４の拡大は、壁面Ｗの裏面すなわち見えない表面に接触しているレグの近位部分３０により阻止され、レグの近位部分３０と遠位部分３２とは、ねじＳによりほぼ直角三角形を形成する。
【００１６】
さらにシャンク２０は例えばレグの内側（すなわち内部）にストッパを含んでいてもよくて、そのストッパは例えばねじＳの周囲に延在し、かつ先端１２の近位端部から半径方向に延伸している（ストッパの例が図５における符号２３４及び図６における符号３３４で図示されている）。そのようなストッパは、図１の収縮位置の場合、図２において、ストッパの近位端部が、レグ２４の近位部分の内側に及び／又はレグの遠位部分３０の内側で壁面Ｗの見えない表面に係合するようにレグ２４を全長にまで延伸しないので、従って、先端１２がさらに壁面Ｗに向かって引き込まれるのを妨げている。レグの近位部分３０は、壁面Ｗの見えない表面に係合する場合、先端１２のさらなる引き込みに抵抗するけれども、ねじＳのさらなる回転は、レグの近位部分３０を壁面Ｗの中に埋め込む。ストッパは直角三角形の第三辺（なお他の二辺はレグの近位部分３０及び遠位部分３２である）にほぼ一致する長さであって、図２に図示される壁面用アンカー１０の端部位置が保証されている。すなわち、レグの近位部分３０及び／又はストッパはねじＳの過度回転を防止している。
【００１７】
図１ｂ，２ｂ，１ｃ及び２ｃは、図１及び２のような四本のレグ２４を有するかわりに、それぞれ五本、三本のレグを有する別のシャンクを図示している。レグの数は別の数であってもよい。
【００１８】
図３及び４は本発明における第一壁面用アンカー１０と同様な第二壁面用アンカー１１０を図示しているが、壁面用アンカー１１０のシャンク１２０は周囲に、ほぼねじ山１１４及び１２２と連続しているねじ山１２１を有している点で異なっている。壁面用アンカー１１０において、レグ１２４の近位部分１３０及び遠位部分１３２は、図４に図示するほぼ平らな端部状態となるように同一長さであって、レグの近位部分１３０のねじ山１２１は壁面Ｗの見えない表面に係合する。図３及び４において、ねじＳは大きなピッチの木ねじを有するように図示されていて、ねじＳの取り付け（含む壁面用アンカー１０の延伸）を迅速に行なえる。即ちねじＳの回転が少なくて行なえる。第一壁面用アンカー１０と同様に、第二壁面用アンカー１０は先端１１２、開口部１１６、ヘッド１１８及びねじ切り区画１２８を含んでいて、そして第一壁面用アンカー１０のもろいフィルム２６のようなもろいフィルム１２６も含んでいる。
【００１９】
図３ｂ，４ｂ，３ｃ及び４ｃは壁面用アンカー１０の変形を図示していて、図３及び４に図示する四本のレグ１２４の代りに五本のレグを備えている。
【００２０】
第二壁面用アンカー１１０の変形として（他の壁面用アンカー例えば第一壁面用アンカー１０にも可能である）、シャンク１２０の区画１２８が、めねじ（すなわちねじＳによりねじ切りをする必要がない）を備えかつ壁面用アンカー１１０のプラスチックシャンク１２０の中に取り付けられた（例えば成形された）金属インサートを含んでいてもよくて、そのめねじは、（ナットとして作用する）金属インサートのようなものであって、小ねじを受容するようになっている。
【００２１】
図５及び６は第三壁面用アンカー１０を図示していて、正反対に対向している二本のレグ２２４を含んでいる点をのぞいてほぼ第一壁面用アンカー１０と同様なものである。一対のストッパ２３４がシャンク２２０の一部であって、レグ２４の間で先端２１２の近位端部から半径方向に延伸している。ストッパ２３４の近位端部は、壁面用アンカー２１０の最終位置がほぼ図６に図示する位置となるように先端２１２がヘッド２１８へ向かって引き込まれるのを制限するようになっている。
【００２２】
壁面用アンカー２１０は、さらに遠位溝２１４と、遠位開口部２１６と、近位溝２２２と、ねじ切り区画２２８と、レグの近位部分２３０及び遠位部分２３２とを含んでいる。
【００２３】
図７及び８は第四壁面用アンカー３１０を図示していて、ストッパ３３４はレグ３２４の中で先端３１２から半径方向に延伸している円筒形状である。図示するように、ストッパ３３４は、ねじＳによりねじ切りされるようにねじ切り区画３２８における後方向への延伸部を形成していてもよい。シャンク３２０におけるレグ３２４の数は、四本、五本、三本のレグがそれぞれ図示されている図７ａ及び８ａと、図７ｂ及び８ｂと、図７ｃ及び８ｃとに変更されてもよい。
【００２４】
第四壁面用アンカー３１０は、遠位ねじ山３１４と、遠位開口部３１６と、近位ヘッド３１８と、近位ねじ山３２２と、レグの近位部分３３０及び遠位部分３３２を含んでいる。図１及び２の第一壁面用アンカー１０と同様に、もろい区画が隣接するレグ３２４の間に備えられてもよい。
【００２５】
図９及び１０は本発明による第五壁面用アンカー４１０を図示していて、図１及び２の第一壁面用アンカー１０と同様なものであるけれども、前述の特許文献２における自己穴あけ式アンカーの遠位区画に基づく変形先端４１２を図示している。壁面用アンカー４１０の先端４１２は、前述の特許文献１における自己穴あけ式ねじ山インサートのブレード形状であってもよい。実際のところ、これらのおよび他の変形先端はここで開示される種々の壁面用アンカーに考慮されてもよい。
【００２６】
例示の先端４１２を用いて、壁面用アンカー４１０は、近位ねじ山４２２が壁面Ｗに係合するように、回転される前にまず壁面Ｗを貫通する。壁面用アンカー４１０は、ヘッド４１８と、シャンク４２０と、レグ４２４と、もろいフィルム４２６と、ねじ切り区画４２８と、レグの近位部分４３０及び遠位部分４３２とを含んでいる。
【００２７】
図９ａ及び図１０ａは、図９及び図１０と同様に四本のレグ４２４を有しているシャンク４２０を図示していて、図９ｂ，１０ｂ，９ｃ及び１０ｃは五本、三本のレグ４２４を備えた別のレグ形状をそれぞれ図示している。
【００２８】
図１１及び１２に第六壁面用アンカー５１０が図示されていて、シャンク５２０は並行しているレグ５２４を含んでおり、そのレグ５２４は、壁面用アンカー５１０に回転して取り付ける際にシャンク５２０に対して追加の剛性を提供するために、壁面用アンカー５１０の長手軸に対してわずかに角度が付いていて、その角度方向は、壁面用アンカー５１０が回転時に壁面Ｗに挿入される場合に作用されるトルクに対向する方向である。レグ５２４はもろい部分５２６により一体に着脱可能に接続されていて、もろい部分５２６は前述の実施形態と同じく、当初一体に接続されていなかったレグと比較して、シャンクに対してさらなる剛性を提供している。図３及び４のシャンク１２０と同様に、シャンク５２０は、ほぼ連続したねじ山である近位ねじ山５２２及び遠位ねじ山５１４とを備えている。図１２に図示するように延伸されると、壁面用アンカー５１０は、壁面Ｗの見えない表面に接触しているバンドルを形成していて、このバンドルは変形したレグ５２４により形成される。
【００２９】
第六壁面用アンカー５１０は、先端５１２、遠位開口部５１６、近位ヘッド５１８及びねじ切り区画５２８を含んでいる。
【００３０】
図１３及び１４は、本発明における第七壁面用アンカー６１０を図示していて、二本のレグ６２４が、図１３及び１４において符号６３４で付番されているように、内側に向けて広がっている点をのぞいて、壁面用アンカー６１０と同様なものである。これらの内側に向けて曲がっているレグ６３４は、壁面用アンカー６１０が図１４に示めす第二位置になってしまうと、先端６１２のさらなる引き込みに抵抗するストッパとして作用する。
【００３１】
壁面用アンカー６１０は、遠位ねじ山６１４と、遠位開口部６１６と、ヘッド６１８と、シャンク６２０と、近位ねじ山６２２と、もろいフィルム６２６と、ねじ切り区画６２８と、レグの近位部分６３０及び遠位部分６３２とを含んでいる。
【００３２】
図１５及び１６は本発明による第七壁面用アンカー７１０を図示していて、壁面用アンカー７１０は二つの独立したコンポーネント、より詳しくはねじ山付きアンカー区画７１１（図１７に図示せず）及び延伸可能なロッキング部材７２４（図１８に図示せず）により構成されている。アンカー区画７１１は、先端７１２、遠位ねじ山１７４、遠位開口部７１６、近位ヘッド７１８、シャンク７２０及び近位ねじ山７２２を含んでいる。
【００３３】
ロッキング部材７２４は、図１５に図示するように当初収縮されていて、シャンク７２０の正反対に対向して形成された長手溝に部分的に受容されている。ロッキング部材７２４が一対のノッチ７２６を形成していて、ノッチ７２６は、ロッキング部材７２４が収縮されている場合シャンク７２０の近位端部に係合するようになっていて、ノッチ７２６により形成されているノッチ７２８がシャンク７２０の内側に向けて保持されている。ロッキング部材の７２４は、ねじＳによりねじ切りすることのできる遠位の円筒状部材７３０を含んでいる。
【００３４】
ねじＳがアンカー区画７１１に十分に挿入されると、ロッキング部材７２４に接触し、それをヘッド７１８から軸方向に引き離なし、従ってロッキング部材７２４のチップ７２８をアンカー区画７１１のシャンク７２０から係合解除する。ロッキング部材７２４はスプリング入りであって、シャンク７２０から外れると図１８に図示する位置になる。ロッキング部材７２４の円筒状部材７３０が、ねじＳによりねじ切りされ、ねじＳの回転の結果、ロッキング部材７２４は、図１６の状態になるまで壁面Ｗへ向けて引き込まれる。実際のところ、ロッキング部材７２４は、基本的に収縮位置（図１５）と壁面に係合する延伸位置（図１６）との間で移動するトグルとして作用している。
【００３５】
ロッキング部材７２４は、壁面用アンカー７１０の製造者によりアンカー区画７１１の中心ボアーを貫通してヘッド７１８から先端７１２へ向けて、収縮したロッキング部材７２４がシャンク２０の長手溝において部分的に延伸するまで挿入され、一方ロッキング部材７２４のチップ７２８はシャンク７２２の近位端部により延伸することを阻止されている。ねじＳが十分に挿入されると、ロッキング部材７２４を、チップ７２８がシャンク７２０から係合解除されシャンク７２０の長手溝を介して外部にばね付勢されるまでアンカー区画７１１の穴に沿って軸方向に移動する。
【００３６】
図１９及び２０は本発明における第九壁面用アンカー８１０を図示していて、壁面用アンカー８１０は、シャンク８２０の遠位端部にかつ遠位開口端部８１２に割り込んで形成されためねじ山８２８を特徴としている。壁面用アンカー８１０のめねじ山８２８は、ねじＳ（図示せず）のおねじ山により係合されるようになっている。この構造形状が、ねじＳのねじ山により係合される壁面用アンカー８１０におけるさらなるねじ山を提供していて、従ってねじＳと壁面用アンカー８１０とのより強力な係合レベルを提供しており、従ってシャンク８２０に備えられたレグ８２４を延伸するべく先端８１２を壁面に向かって後方に引き込むために、ねじＳがさらに回転される場合、壁面用アンカー８１０のねじ山８２８の滑りを防止するようになっている。
【００３７】
ピンＰはアンカー８１０に取り付けられていて、内部のめねじ１２８を形成するために成形プロセス中に使用されている。ピンＰの構造及びそれをどのように使用するかについて以下に説明する。
【００３８】
壁面用アンカー８１０は遠位ねじ山８１４と、近位ヘッド８１８と、近位ねじ山８２２と、レグ８２４周囲のねじ山８２１とを含んでいて、ねじ山８２１は、連続する外側の雄ねじである（遠位開口部８１６で遮断されているけれど）ねじ山８１４及び８２２を提供するようになっている。チューブ８３４が壁面用アンカー８１０のシャンク８２０の中に備えられていて、壁面用アンカー８１０が壁面Ｗに取り付けられる場合により大きな剛性を提供するようになっている。
【００３９】
図２２−２６は、本発明における図３と同様な壁面用アンカー９１０を図示しているけれども、壁面用アンカー９１０がめねじ９２８（図９と同様な）を含んでいて、そのめねじ９２８は先端９１２の内側に割り込んでいて円筒状区画９３６に取り付けられ、そしてシャンク９２０の遠位端部と先端９１２の近位端部の間で軸方向に延伸している。このめねじ９２８は回転時にねじＳのねじ山により係合されるようになっていて、ねじＳがアンカー９１０の中へさらに前進することを妨げられると（例えば物品Ｉ又はアンカー９１０のヘッド９１８に接触することにより）、ねじＳのさらなる回転は、先端９１２をヘッド９１８に向けて軸方向に並進して引き込み従って壁面Ｗの裏面におけるレグ９２４の変形（すなわち外向きに膨脹）を引きおこす。アンカー９１０の長手軸は“Ａ”で付番されていて、そのような軸がここに説明したアンカー各々を特徴ずけている。
【００４０】
円筒状区画９３６及び先端９１２との両方にめねじ１２８を備えていることはねじＳのねじ山に係合されるめねじの全体長さを長くし、従ってねじＳと壁面用アンカー９１０とのより強力な係合レベルを提供していて、従ってシャンク９２０に備えられたレグ９２４を延伸するべく先端９１２を壁面に向かって後方に引き込むために、ねじＳがさらに回転される場合、壁面用アンカー９１２０のねじ山９２８の滑りを防止するようになっている。
【００４１】
図２７ａ−２７ｄは本アンカーの取り付け手順を図示していて、第十壁面用アンカー９１０を例にして以下に説明する。図２７ａに図示するように壁面用アンカー９１０は、先端１２を用いて壁面Ｗの見える側面に位置決めされ、そしてねじ回わしのような適切なトルク発生工具を使用して壁面Ｗの中へ回転的に係合されていて、その工具は壁面用アンカー９１０のヘッド９１８に形成された溝に差し込むべく形成されたバイトを有している。ここでPhilips−タイプのスクリュードライバー・バイトＢが十字形溝９１９に差し込まれるべく使用されている。図２７ｂに図示するように、壁面用アンカー９１０は、ヘッド９１８が壁面Ｗの見えない表面に接触するまで回転される。続いてねじＳはスクリュードライバー・バイトＢを使用して壁面用アンカー９１０に回転的に係合され、そしてねじは図３に図示する位置に達するまで壁面Ｗの中に並進され、物品Ｉが壁面Ｗに接触することによりさらなる前進は阻止されるようになっている。前述しかつ図２７ｃに図示するように、さらなるねじＳの回転は、ねじＳの雄ねじが壁面用アンカー９１０の雌ねじ９２８に係合することにより、先端９１２をヘッド９１８へ向かっての軸方向で並進的に引き込み、従って壁面Ｗの表面においてレグ９２４の変形（すなわち外向きの膨脹）を生じ、壁面用アンカー９１０を壁面Ｗにしっかりと締め付ける。図２７ｄに図示するように、そのような変形は、アーム９２４の周囲に提供されたねじ山９２１のいくつかを壁面Ｗの裏面に係合させる（すなわち突き通している）。
【００４２】
図２８及び２９が図２３の第十壁面用アンカー９１２を図示していて、壁面用アンカー９１２はコアー・ピンＰと内部ねじ山９２８とを備えており、コアーピンＰは壁面用アンカー９１０を軸方向に貫通して延伸する貫通通路を形成するために成形中に使用される。より詳しくは、コアーピンＰは主ピン区画１０００（図３０，３１に図示せず）を含んでいて、その主ピン区画１０００が第一部分１００２及び第二部分１００４を有していて、第一部分１００２は延伸可能なレグ９２４及びシャンク９２０の一部とにおけるヘッド９１８の内面を形成するようになっていて、そのシャンク９２０がヘッド９１８と延伸可能なレグ９２４との間に延伸するものであり、第二部分１００４は円筒状区画９３６の雌ねじ１２８を形成するようになっている。コアーピンＰが第二ピン区画１００６も含んでいて、第二ピン区画１００６は壁面用アンカー９１０の先端９１２に位置するねじ山９２４を形成するようになっている。第二部分１００４の先端１００８は第二ピン区画１００６の近位端部１０１０と整合するように形状化されていて、このことが主ピン区画１０００と第二ピン区画１００６従って、雌ねじ１２８との整列を保証しており、その雌ねじ１２８は、主ピン区画１０００により形成され、かつ第二ピン区画１００６により形成された接続部においてほとんど阻止されずに、かつ定ピッチを有している。
【００４３】
金型は、壁面用アンカー９１０の外面形状を提供する二つの外側金型区画を含んでいて、プラスチックが金型に射出されると、主ピン区画１０００が金型から軸方向に並進して引き出され、一方第二ピン区画１００６は遠位端部９１２から（すなわち開口部９１６を介して）横方向に取り出される。主ピン区画１０００は、主ピン区画１０００が、成形されていた雌ねじ１２８をはぎ取らないように、射出プロセス後で特定の期間中に金型から引き出され、これらの雌ねじは主ピン区画１０００が取り出された後に完全に固化する。従来技術においては、ピンが成形されたアンカーから回転的に取り出され、本願の並進式引きぬきと比較して多くの時間を要している。
【図面の簡単な説明】
【００４４】
【図１】図１は、本発明における第一壁面用アンカーの概略部分断面側面図であって、アンカーが壁面に係合し、かつ収縮状態のものである。
【図１ａ】図１ａは、図１の壁面用アンカーの端面図である。
【図１ｂ】図１ｂは、図１ａの変形壁面用アンカーの端面図である。
【図１ｃ】図１ｃは、図１ａの変形壁面用アンカーの端面図である。
【図２】図２は、図１と同様の概略部分断面側面図であって、アンカーが壁面に係合し、かつ延伸状態のものである。
【図２ａ】図２ａは、図２の壁面用アンカーの端面図である。
【図２ｂ】図２ｂは、壁面用アンカーの第二状態における、図１ｂの変形壁面用アンカーの端面図である。
【図２ｃ】図２ｃは、壁面用アンカーの第二状態における、図１ｃの変形壁面用アンカーの端面図である。
【図３】図３は、本発明における第二壁面用アンカーの概略部分断面側面図であって、図１と同様なものである。
【図３ａ】図３ａは、図１ａと同様なものであるが、図３の壁面用アンカーに対応するものである。
【図３ｂ】図３ｂは、図１ｂと同様なものであるが、図３の壁面用アンカーに対応するものである。
【図３ｃ】図３ｃは、図１ｃと同様なものであるが、図３の壁面用アンカーに対応するものである。
【図４】図４は、図２と同様なものであるが、図３の第二壁面用アンカーに対応するものであって延伸状態におけるものである。
【図４ａ】図４ａは、図２ａと同様なものであるが、図３の第二壁面用アンカーに対応するものであって延伸状態におけるものである。
【図４ｂ】図４ｂは、図２ｂと同様なものであるが、図３の第二壁面用アンカーに対応するものであって延伸状態におけるものである。
【図４ｃ】図４ｃは、図２ｃと同様なものであるが、図３の第二壁面用アンカーに対応するものであって延伸状態におけるものである。
【図５】図５は、本発明における第三壁面用アンカーの概略部分断面側面図であって、収縮状態のものである。
【図５ａ】図５ａは、図５における壁面用アンカーの端面図である。
【図６】図６は、図５における壁面用アンカーの概略部分断面側面図であって、延伸状態におけるものである。
【図６ａ】図６ａは、図６の端面図である。
【図７】図７は、図１と同様の図であるけれども、本発明における第四壁面用アンカーを図示していて、かつ収縮状態のものである。なお図７は断面図である。
【図７ａ】図７ａは、図１ａと同様の図であるけれども、本発明における第四壁面用アンカーを図示していて、かつ収縮状態のものである。
【図７ｂ】図７ｂは、図１ｂと同様の図であるけれども、本発明における第四壁面用アンカーを図示していて、かつ収縮状態のものである。
【図７ｃ】図７ｃは、図１ｃと同様の図であるけれども、本発明における第四壁面用アンカーを図示していて、かつ収縮状態のものである。
【図８】図８は、図２と同様な図であるけれども、図７の壁面用アンカーに対応するものであって、延伸状態のものである。なお図７は断面図である。
【図８ａ】図８ａは、図２ａと同様な図であるけれども、図７の壁面用アンカーに対応するものであって、延伸状態のものである。なお図７は断面図である。
【図８ｂ】図８ｂは、図２ｂと同様な図であるけれども、図７の壁面用アンカーに対応するものであって、延伸状態のものである。なお図７は断面図である。
【図８ｃ】図８ｃは、図２ｃと同様な図であるけれども、図７の壁面用アンカーに対応するものであって、延伸状態のものである。なお図７は断面図である。
【図９】図９は、図１と同様の図であるけれども、本発明における第五壁面用アンカーを図示していて、収縮状態のものである。
【図９ａ】図９ａは、図１ａと同様の図であるけれども、本発明における第五壁面用アンカーを図示していて、収縮状態のものである。
【図９ｂ】図９ｂは、図１ｂと同様の図であるけれども、本発明における第五壁面用アンカーを図示していて、収縮状態のものである。
【図９ｃ】図９ｃは、図１ｃと同様の図であるけれども、本発明における第五壁面用アンカーを図示していて、収縮状態のものである。
【図１０】図１０は、図２と同様の図であるけれども、図９における壁面用アンカーに対応するものであって、延伸状態のものである。
【図１０ａ】図１０ａは、図２ａと同様の図であるけれども、図９における壁面用アンカーに対応するものであって、延伸状態のものである。
【図１０ｂ】図１０ｂは、図２ｂと同様の図であるけれども、図９における壁面用アンカーに対応するものであって、延伸状態のものである。
【図１０ｃ】図１０ｃは、図２ｃと同様の図であるけれども、図９における壁面用アンカーに対応するものであって、延伸状態のものである。
【図１１】図１１は、本発明における第六壁面用アンカーの概略部分断面側面図であって、収縮状態のものである。
【図１２】図１２は、図１１と同様の図であって、延伸状態における第六壁面用アンカーを図示している。
【図１３】図１３は、図１と同様な部分断面側面図であるけれども、本発明における第七壁面用アンカーを図示していて、収縮状態のものである。
【図１４】図１４は、図１３における壁面用アンカーの部分断面側面図であるけれども、延伸状態のものである。
【図１５】図１５は、本発明における第八壁面用アンカーの部分断面側面図であって、収縮状態のものである。
【図１６】図１６は、図１５における壁面用アンカーの部分断面側面図であって、延伸状態のねじである。
【図１７】図１７は、図１５における壁面用アンカーの側面図である。
【図１８】図１８は、図１５における壁面用アンカーのロッキング部材の側面図である。
【図１９】図１９は、本発明における第九壁面用アンカーの概略側面図であって、第九壁面用アンカーの製造に使用される成形ピンも図示されている。
【図２０】図２０は、図１９における壁面用アンカーの端面図である。
【図２１】図２１は、図１９における壁面用アンカーの断面図である。
【図２２】図２２は、図３と同様な図であって、本発明における第十壁面用アンカーの側面図である。
【図２３】図２３は、図２２における第十壁面用アンカーの端面図である。
【図２４】図２４は、図２２における矢視２４−２４から見た断面図である。
【図２５】図２５は、図２２における矢視２５−２５から見た断面図である。
【図２６】図２６は、図２２における矢視２６−２６から見た断面図である。
【図２７ａ】図２７ａは、図２３における第十壁面用アンカーの壁面への据付けを図示している部分断面図である。
【図２７ｂ】図２７ｂは、図２３における第十壁面用アンカーの壁面への据付けを図示している部分断面図である。
【図２７ｃ】図２７ｃは、図２３における第十壁面用アンカーの壁面への据付けを図示している部分断面図である。
【図２７ｄ】図２７ｄは、図２３における第十壁面用アンカーの壁面への据付けを図示している部分断面図である。
【図２８】図２８は、図２３における第十アンカーの側面図であって成形時に使用するコアー・ピンを備えているものである。
【図２９】図２９は、図２３における第十アンカーの縦断面図であって成形時に使用するコアー・ピンを備えているものである。
【図３０】図３０は、コアー・ピンの一部の側面図である。
【図３１】図３１は、コアー・ピンの一部の部分断面図である。
2006509969.tif 000003
2006509969.tif 000004
2006509969.tif 000005
2006509969.tif 000006
2006509969.tif 000007
2006509969.tif 000008
2006509969.tif 000009
2006509969.tif 000010
【図１７】
2006509969.tif 000011
【図１８】
2006509969.tif 000012
【図１９】
2006509969.tif 000013
【図２０】
2006509969.tif 000014
【図２１】
2006509969.tif 000015
【図２２】
2006509969.tif 000016
【図２３】
2006509969.tif 000017
【図２４】
2006509969.tif 000018
【図２５】
2006509969.tif 000019
【図２６】
2006509969.tif 000020
2006509969.tif 000021
2006509969.tif 000022
【図２８】
2006509969.tif 000023
【図２９】
2006509969.tif 000024
【図３０】
2006509969.tif 000025
【図３１】
2006509969.tif 000026
【国際調査報告】
2006509969.tif 000027
2006509969.tif 000028
2006509969.tif 000029
2006509969.tif 000030
2006509969.tif 000031